(57)【要約】【課題】乗り物酔いを防止することができる表示装置を提供する。【解決手段】ＣＰＵ１６ａは、前処理部１１、信号処理部１２を用いて、コンポジット信号Ｓ１に応じた映像を生成し、合成部１３に供給する。ＣＰＵ１６ａはまた、ステアリング角情報、車両速度情報、車両回転情報、車両位置情報から車両の加速度を検出し、加速度に応じた方向、速さで移動するキャラクタ画像をＯＤＳ回路１５に生成させる。合成部１３は、コンポジット信号Ｓ１に応じた映像に、ＯＤＳ回路１５で生成されたキャラクタ画像を重畳して、表示部１４に表示させる。【選択図】図２
2005294954.tif 000002
【特許請求の範囲】
【請求項１】
移動体に搭載される表示装置であって、
映像及び画像を表示する表示手段と、
前記移動体の動きに依存しない映像を前記表示手段に表示させる映像表示制御手段と、
前記移動体の動きに合わせて変化する画像を前記表示手段に表示させる画像表示制御手段と、
を備えることを特徴とする表示装置。
【請求項２】
請求項１記載の表示装置であって、
前記移動体の動きを検出する検出手段をさらに備え、
前記画像表示制御手段は、前記検出手段の検出結果に応じて、前記画像を変化させることを特徴とする表示装置。
【請求項３】
請求項２記載の表示装置であって、
前記検出手段は、前記移動体の左右方向又は上下方向の加速度を検出し、
前記画像表示制御手段は、前記検出手段の検出結果に応じて、前記表示手段における前記画像の表示位置を動かすことを特徴とする表示装置。
【請求項４】
請求項２又は３記載の表示装置であって、
前記検出手段は、前記移動体の前後方向の加速度を検出し、
前記画像表示制御手段は、前記検出手段の検出結果に応じて、前記画像の大きさを変更することを特徴とする表示装置。
【請求項５】
請求項１記載の表示装置であって、
前記移動体外部の風景画像を撮像する撮像手段をさらに備え、
前記画像表示制御手段は、前記風景画像を、前記移動体の動きに合わせて変化する画像として前記表示手段に表示させることを特徴とする表示装置。
【請求項６】
請求項１〜５の何れか１項記載の表示装置であって、
前記画像表示制御手段は、前記移動体の動きに合わせて変化する半透明画像を、前記映像上に重畳して前記表示手段に表示させることを特徴とする表示装置。
【請求項７】
請求項６記載の表示装置であって、
前記半透明画像の透明度を設定する透明度設定手段をさらに備え、
前記画像表示制御手段は、前記透明度設定手段によって設定された透明度の前記半透明画像を前記表示手段に表示させることを特徴とする表示装置。
【請求項８】
請求項１〜５の何れか１項記載の表示装置であって、
前記画像表示制御手段は、前記移動体の動きに応じて動く点滅画像を、前記映像上に重畳して前記表示手段に表示させることを特徴とする表示装置。
【請求項９】
請求項８記載の表示装置であって、
前記点滅画像の点滅間隔を設定する点滅設定手段をさらに備え、
前記画像表示制御手段は、前記点滅間隔設定手段によって設定された点滅間隔で前記点滅画像を前記表示手段に表示させることを特徴とする表示装置。
【請求項１０】
請求項１〜５の何れか１項記載の表示装置であって、
前記表示手段が、映像表示エリア部と、画像表示エリア部とに分割され、
前記映像表示制御手段が、前記映像表示エリア部に前記映像を表示させ、
前記画像表示制御手段が、前記画像表示エリア部に前記画像を表示させることを特徴とする表示装置。
【請求項１１】
移動体に搭載される表示装置であって、
映像を表示する表示手段と、
前記移動体の動きを検出する検出手段と、
該検出手段の検出結果に応じて変化する映像を前記表示手段に表示させる表示制御手段と、
を備えることを特徴とする表示装置。
【請求項１２】
移動体に搭載され前記移動体の動きに依存しない映像を表示する表示装置の周辺に取り付ける補助表示装置であって、
画像を表示する表示手段と、
前記移動体の動きを検出する検出手段と、
前記検出した移動体の動きに合わせて変化する画像を前記表示手段に表示させる表示制御手段と、
を備えることを特徴とする補助表示装置。
【請求項１３】
移動体に搭載され前記移動体の動きに依存しない映像を表示する表示装置の周辺に取り付ける補助表示装置であって、
複数の発光素子が並べて配置された表示手段と、
前記移動体の動きを検出する検出手段と、
前記検出した移動体の動きに合わせて、前記発光素子の点灯位置を動かす表示制御手段と、
を備えることを特徴とする補助表示装置。
【発明の詳細な説明】
【技術分野】
【０００１】
本発明は、表示装置及び補助表示装置に関するものである。
【背景技術】
【０００２】
近年、車両などの移動体内に液晶ディスプレイなどの表示装置を搭載して、移動中に助手席や後部座席の人がテレビやＤＶＤなどを鑑賞することが一般に行われるようになってきており、車両搭載用の表示装置も提案されている（例えば、特許文献１）。しかしながら、このように揺れなどが発生する環境内で表示装置に表示された映像を見ると、乗り物酔いになりやすいとう問題があった。
【特許文献１】特開２０００−３３０５３３号公報
【発明の開示】
【発明が解決しようとする課題】
【０００３】
本発明が解決しようとする課題には、上記した問題が一例として上げられる。
【課題を解決するための手段】
【０００４】
上記課題を解決するためになされた請求項１記載の発明は、移動体に搭載される表示装置であって、映像及び画像を表示する表示手段と、前記移動体の動きに依存しない映像を前記表示手段に表示させる映像表示制御手段と、前記移動体の動きに合わせて変化する画像を前記表示手段に表示させる画像表示制御手段と、を備えることを特徴とする。
【０００５】
また、請求項１１記載の発明は、移動体に搭載される表示装置であって、映像を表示する表示手段と、前記移動体の動きを検出する検出手段と、該検出手段の検出結果に応じて変化する映像を前記表示手段に表示させる表示制御手段と、を備えることを特徴とする。
【０００６】
また、請求項１２記載の発明は、移動体に搭載され前記移動体の動きに依存しない映像を表示する表示装置の周辺に取り付ける補助表示装置であって、画像を表示する表示手段と、前記移動体の動きを検出する検出手段と、前記検出した移動体の動きに合わせて変化する画像を前記表示手段に表示させる表示制御手段と、を備えることを特徴とする。
【０００７】
また、請求項１３記載の発明は、移動体に搭載され前記移動体の動きに依存しない映像を表示する表示装置の周辺に取り付ける補助表示装置であって、複数の発光素子が並べて配置された表示手段と、前記移動体の動きを検出する検出手段と、前記検出した移動体の動きに合わせて、前記発光素子の点灯位置を動かす表示制御手段と、を備えることを特徴とする。
【発明を実施するための最良の形態】
【０００８】
第１の実施の形態
本発明に係る移動体に搭載される表示装置の第１の実施の形態について図１（ａ）を参照して説明する。図１（ａ）は、第１の実施の形態における表示装置１の主要部の構成を表したブロック図である。図１（ａ）において、表示装置１は、表示部２、映像表示制御部３ａ、画像表示制御部４ａ、検出部５、撮像部６、設定部７を備えて構成されている。表示部２は、映像表示制御部３ａおよび画像表示制御部４ａの出力信号に基づいて映像や画像を表示する。
【０００９】
映像表示制御部３ａは、テレビチューナーや、ビデオ、ＤＶＤなどから出力される映像信号に基づいて、移動体の動きに依存しない映像を表示部２に表示させるための信号を出力する。画像表示制御部４ａは、移動体の動きに合わせて変化する画像を表示部２に表示させるための信号を出力する。検出部５は、移動体に設置されている車速センサやジャイロセンサなどの各種センサの出力に基づいて移動体の動きを検出して検出信号を出力する。撮像部６は、移動体に取り付けられたカメラ等から移動体外部の風景画像を取得して、その画像を示す画像信号を出力する。
【００１０】
画像表示制御部４ａは、上記検出部５の出力信号に基づいて移動体の動きに合わせて変化する画像を生成するようにしてもよく、また、上記撮像部６の出力信号に基づいて画像を生成するようにしてもよい。また、設定部７は、画像表示制御部４ａが生成する画像の透明度や点滅間隔などの各種条件を設定する。
【００１１】
一般的に、乗り物酔いは、視覚的情報と体で感じる情報の不一致により混乱が生じて起こるものである。このため、移動体の動きに依存しない映像を見ていると、上記不一致が生じやすく乗り物酔いしやすくなる。従って、第１の実施形態における表示装置１によれば、映像表示制御部３ａの出力信号により表示部２に表示される移動体の動きに依存しない映像をユーザが見ている場合であっても、画像表示制御部４ａの出力信号により表示部２に表示された画像により、移動体の動きに合った視覚的情報を得ることができ、視覚的情報と体で感じる情報との不一致を防止し、乗り物酔いを防ぐことができる。
【００１２】
また、画像表示制御部４ａは、検出部５の検出出力に応じて、移動体の動きに合わせて変化する画像を生成するようにしてもよい。このようにすることで、検出部５の検出結果に応じて変化する画像により、ユーザは移動体の動きに合った視覚的情報を得ることができ、視覚的情報と体で感じる情報との不一致を防止し、乗り物酔いを防ぐことができる。
【００１３】
また、検出部５は、移動体の左右方向又は上下方向の加速度を検出し、画像表示制御部４ａは、検出出力に応じて、表示部２に表示させる画像の表示位置を動かすようにしてもよい。このようにすることで、検出部５の検出出力に応じて変化する画像をユーザが視認することにより、移動体が左右方向又は上下方向に揺れても、視覚的情報と体で感じる情報との不一致を防止し、乗り物酔いを防ぐことができる。
【００１４】
また、検出部５は、移動体の前後方向の加速度を検出し、画像表示制御部４ａは、検出部５の検出出力に応じて、表示部２表示させる画像の大きさを変えるようにしてもよい。このようにすることで、検出出力に応じて大きさが変わる画像をユーザが視認することにより、移動体が前後方向に加速しても、視覚情報と体で感じる情報との不一致を防止し、乗り物酔いを防ぐことができる。
【００１５】
また、画像表示制御部４ａは、撮像部６が撮像した移動体外部の風景画像を、移動体の動きに合わせて変化する画像として表示部２に表示させるようにしてもよい。このようにすることで、風景画像をユーザが視認することにより、視覚的情報と体で感じる情報との不一致を防止し、乗り物酔いを防止することができる。
【００１６】
また、画像表示制御部４ａは、移動体の動きに合わせて変化する半透明画像を、映像上に重畳して、表示部２に表示させるようにしてもよい。このようにすることで、半透明画像の背後に映像が透けて見えるため、ユーザが映像を鑑賞しているときに、移動体の動きに合わせて変化する画像が無意識にユーザの視界に入ることになる。
【００１７】
また、画像表示制御部４ａは、設定部６により設定された透明度の半透明画像を、映像上に重畳して、表示部２に表示させるようにしてもよい。これにより、ユーザが操作ボタンなどを操作して映像上に重畳する半透明画像の透明度を調整することができる。
【００１８】
また、画像表示制御部４ａは、移動体の動きに応じて動く点滅画像を、映像上に重畳して、表示部２に表示させるようにしてもよい。このようにすることで、間欠的に点滅する点滅画像により、移動体の動きに応じて変化する画像に対するユーザの注意を引くことができる。
【００１９】
また、画像表示制御部４ａは、設定部７により設定された点滅間隔で点滅画像を表示部２に表示させるようにしてもよい。このようにすることで、ユーザが操作ボタンなど操作して点滅画像の点滅間隔を調整することができる。
【００２０】
また、表示部２が、映像表示エリア部と、画像表示エリア部とに分割され、映像表示制御部３ａが、映像表示エリア部に、映像を表示させ、画像表示制御部４ａが、画像表示エリア部に、画像を表示させるようにしてもよい。このようにすることで、映像信号に応じた映像上に、移動物に応じて変化する画像が重畳されないため、移動物に応じて変化する画像によって映像の視認が邪魔されることがない。
【００２１】
第２の実施の形態
次に、本発明に係る移動体に搭載される表示装置の第２の実施の形態について図１（ｂ）を参照して説明する。図１（ｂ）は、第２の実施の形態における表示装置８の主要部の構成を表したブロック図である。図１（ｂ）において、表示装置８は、表示部２、表示制御部３ｂ、検出部５を備えて構成されている。なお、表示部２及び検出部５の動作については、上述した第１の実施の形態と同様であるので説明を省略する。
【００２２】
表示制御部３ｂは、テレビチューナーや、ビデオ、ＤＶＤなどから出力される映像信号及び検出部５の出力信号に基づいて、移動体の動きに合わせて変化する映像を表示部２に表示させるための信号を出力する。このようにすることで、ユーザが映像を鑑賞しているときに移動体の動きに合った視覚的情報を得ることができ、視覚的情報と体で感じる情報との不一致を防止し、乗り物酔いを防ぐことができる。なお、表示制御部３ｂは画面全体の映像を移動体の動きに合わせて変化させても、画面の一部（例えば周辺部）の映像のみを移動体の動きに合わせて変化させてもよい。
【００２３】
第３の実施の形態
次に、本発明に係る移動体に搭載される補助表示装置の第３の実施の形態について図１（ｃ）を参照して説明する。図１（ｃ）は、第３の実施の形態における補助表示装置９の主要部の構成を表したブロック図である。この補助表示装置９は、テレビ、ビデオ、ＤＶＤといった移動体の動きに依存しない映像を表示する表示装置の周辺に取り付けられるものである。図１（ｃ）において、補助表示装置９は、液晶ディスプレイなどの表示部２、表示制御部４ｂ、検出部５を備えて構成される。なお、表示部２及び検出部５の動作については、上述した第１の実施の形態と同様であるので説明を省略する。
【００２４】
また、表示制御部４ｂは、検出部５の出力信号に基づいて、移動体の動きに合わせた画像を表示する。このようにすることで、ユーザが表示装置に表示された移動体の動きに依存しない映像を鑑賞しているときに、補助表示装置９から移動体の動きにあった視覚的情報を得ることができ、視覚的情報と体で感じる情報の不一致を防止し、乗り物酔いを防ぐことができる。また、このように表示装置とは別に補助表示装置９を設けることにより、一般的な既存の表示装置に対して後付することができる。
【００２５】
また、表示部２としては、液晶ディスプレイの他に、例えば、ＬＥＤなどの発光素子を並べて構成されたものを用いてもよい。この場合、表示制御部４ｂは、移動体の動きに合わせて、発光素子の点灯位置を動かす。このようにすることで、液晶ディスプレイといった高価な表示部２を用いる必要がなくなり、コストダウンを図ることができる。
【００２６】
実施例１
図２は、本発明の表示装置の一実施例を示すブロック図である。なお、本実施例の表示装置は、車両（＝移動体）に搭載されるものとして説明する。同図に示すように、表示装置において、前処理部１１には、コンポジット信号Ｓ１が供給されている。コンポジット信号Ｓ１は、テレビチューナーや、ビデオ、ＤＶＤなどから出力される映像信号であり、輝度信号と色信号とを一緒にして１つの信号にした信号である。
【００２７】
前処理部１１は、そのコンポジット信号を、輝度信号、色信号に分離して、信号処理部１２に出力する。信号処理部１２は、前処理部１１によって分離された輝度信号、色信号に基づいて、マトリクス状の映像を生成し、合成部１３に供給する。合成部１３は、信号処理部１２から供給された映像に、ＯＳＤ（On Screen Display）回路１５で生成した画像を重畳して、表示部１４に供給する。表示部１４は、請求項中の表示手段、第１の実施の形態中の表示部２に相当する。なお、ＯＳＤ回路１５は、コンポジット信号Ｓ１に応じた映像に、表示部１４の設定パネルを重畳して表示するＯＳＤ機能を持った表示装置に通常備えられている回路である。
【００２８】
上述した信号処理部１２及びＯＳＤ回路１５は、マイクロコンピュータ１６（以下、μＣＯＭ１６）によって制御されている。μＣＯＭ１６は、プログラムに従って各種の処理を行う中央処理ユニット（以下、ＣＰＵ）１６ａ、ＣＰＵ１６ａが行う処理のプログラムなどを格納する読み出し専用のメモリであるＲＯＭ１６ｂ、ＣＰＵ１６ａの処理過程で利用するワークエリア、各種データを格納するデータ格納エリアなどを有する読み出し書き込み自在のメモリであるＲＡＭ１６ｃなどを内蔵している。
【００２９】
上述したＣＰＵ１６ａには、車両のステアリング角情報を出力するステアリングセンサ２１、車両速度情報を出力する車速センサ２２、車両回転情報を出力するジャイロセンサ２３、車両の位置情報を出力するＧＰＳ２４が接続されている。
【００３０】
上述した構成の表示装置の動作について、以下説明する。まず、ＣＰＵ１６ａは、コンポジット信号Ｓ１に応じた映像を表示するモードになったとき、映像表示制御手段として働き、信号処理部１２による動作を開始させて、コンポジット信号Ｓ１に応じた映像を生成させる。これにより、表示部１４には、コンポジット信号Ｓ１に応じた映像が表示される。上記前処理部１１、信号処理部１２、ＣＰＵ１６ａが、請求項中の映像表示制御手段、第１の実施の形態における映像表示制御部３ａに相当する。
【００３１】
また、ＣＰＵ１６ａは、映像の表示に応じて、車両の動きに合わせて変化するキャラクタ画像を表示するキャラクタ表示処理を行う。このキャラクタ表示処理におけるＣＰＵ１６ａの処理手順を、図４に示すフローチャートを参照して以下説明する。まず、ＣＰＵ１６ａは、検出手段として働き、ステアリング角情報、車両速度情報、車両回転情報、位置情報から車両の左右方向における加速度を演算する（ステップＳ１）。
【００３２】
演算した加速度が一定値より小さければ（ステップＳ２でＮ）、ＣＰＵ１６ａは、乗り物酔いするほどの揺れが生じていないと判断して、再びステップＳ１に戻る。これに対して、演算した加速度が一定値以上であれば（ステップＳ２でＹ）、ＣＰＵ１６ａは、画像表示手段として働き、演算した加速度の方向と大きさに応じたキャラクタ画像の移動方向と、移動速度を演算し（ステップＳ３）、表示処理を行う（ステップＳ４）。
【００３３】
表示処理において、ＣＰＵ１６ａは、ＯＳＤ回路１５を制御して、演算した移動方向、移動速度で移動するキャラクタ画像を生成させる。生成されたキャラクタ画像は、コンポジット信号Ｓ１に応じた映像上に重畳されて表示される。以上のことから明らかなように、上記ＣＰＵ１６ａが、請求項中の検出手段、上述した第１の実施の形態における検出部５に相当する。また、上記ＯＳＤ１５、合成部１３、ＣＰＵ１６ａが、請求項中の画像表示制御手段、上述した第１の実施の形態における画像表示制御部４ａに相当する。
【００３４】
ステップＳ３の動作をより詳細に説明すると、右向きに加速度が生じていれば、キャラクタ画像の移動方向を左方向にし、左向きに加速度が生じていれば、キャラクタ画像の移動方向を右方向にする。さらに、加速度が大きくなるに従って、キャラクタ画像の移動速度を大きくする。これによって、例えば、車両がカーブや、交差点などで左方向に曲がり、左向きに一定値以上の加速度が生じると、図４（ａ）に示すように、キャラクタ画像Ｃが映像上に現れ、右方向に移動する。キャラクタ画像Ｃは、表示部１４上の右端まで移動するとそのまま消える。
【００３５】
一方、車両がカーブや、交差点などで右に曲がり、右向きに一定値以上の加速度が生じると、図４（ｂ）に示すように、キャラクタ画像Ｃが映像上に現れ、左方向に移動する。キャラクタ画像Ｃは、表示部１４上の左端まで移動するとそのまま消える。また、このキャラクタ画像Ｃは、映像の視認の邪魔にならないように、図４に示す例では、表示部１４の画面上部に表示されているが、これに限らず、例えば、下部又は上下の両方に表示させたり、キャラクタ画像Ｃを半透明にして画像全体に表示させたりすることが考えられる。
【００３６】
このキャラクタ画像により、車両の動きに依存しない映像を見る場合であっても、車両の動きに合った視覚的情報を得ることができる。このため、視覚的情報と体で感じる情報との不一致を防止して、乗り物酔いを防ぐことができる。
【００３７】
なお、上述した実施例１では、左右方向の加速度を演算し、演算した加速度に応じてキャラクタ画像を動かしていた。しかしながら、例えば、上下方向の加速度を演算し、演算した加速度に応じてキャラクタ画像を動かすことも考えられる。この場合は、上方向に加速度が生じた場合、キャラクタ画像を下方向に移動し、下方向に加速度が生じた場合、キャラクタ画像を上方向に移動させることにより、視覚的情報と体で感じる情報とを一致させ、上下方向の揺れによる乗り物酔いを防止する。
【００３８】
また、前後方向の加速度を演算し、演算した加速度に応じてキャラクタ画像を動かすことも考えられる。この場合、移動体が加速して、前方向に加速度が生じた場合、キャラクタ画像を大きくし、移動体が減速して、後ろ方向に加速度が生じた場合、キャラクタ画像を小さくして、視覚的情報と体で感じる情報とを一致させ、前後方向の加速による乗り物酔いを防止する。
【００３９】
また、上述した合成部１３は、キャラクタ画像のデータと、このキャラクタ画像背面の映像データとを合成することにより、半透明のキャラクタ画像を映像上に重畳している。これにより、キャラクタ画像を映像上に重畳しても、キャラクタ画像の背面に映像が透けて見えるため、映像を視認しながらキャラクタ画像を視認することができる。
【００４０】
また、キャラクタ画像の透明度は、請求項中の透明度設定手段、第１の実施の形態中の設定部７に相当する調整ボタン（図示せず）などの操作によって、ユーザにより調整可能になっている。具体的には、調整ボタンの操作量に応じて、キャラクタ画像データと映像データとの合成比率を変えることにより、キャラクタ画像の透明度を調整している。
【００４１】
また、重畳するキャラクタ画像を点滅させることも考えられる。この場合、間欠的にキャラクタ画像背面の映像が視認することができるため、キャラクタ画像が映像の視認の邪魔をすることがない。しかも、点滅することにより、ユーザの気を引くこともできる。この場合、点滅間隔は調整ボタンなどの調整操作手段の操作によって、ユーザにより調整可能にする。
【００４２】
また、上述したキャラクタ画像としては、線や点などのグラッフィク画や、キャラクタなどの絵、立体的な地図や風景、左右、上下、前後の情報が分かるような３Ｄ画像などなんでもよい。
【００４３】
また、上述した実施例１では、コンポジット信号Ｓ１に応じた映像上に、キャラクタ画像を重畳していた。しかしながら、例えば、表示部１４の画面上部又は下部もしくは上下両方に設けた画像表示エリアと、中央部に設けた映像表示エリアとに分割して、映像表示エリアに、コンポジット信号Ｓ１に応じた映像を表示し、画像表示エリアにキャラクタ画像を表示することも考えられる。この場合、キャラクタ画像によって、映像の視認が邪魔されることがなくなる。
【００４４】
また、上述した実施例１では、ステアリング角情報、車両速度情報、車両回転情報、車両位置情報といった車両や、ナビゲーション装置に通常搭載されているセンサから得られる情報を用いて車両の加速度、つまり、車両の動きを検出していた。しかしながら、上述した情報の何れか一部や、その他の情報から、車両の動きを検出することも考えられる。
【００４５】
実施例２
次に、実施例２について説明する。図５は、本発明の表示装置の一実施例を示すブロック図である。なお、本実施例２の表示装置は、車両（＝移動体）に搭載されるものとして説明する。また、図５において、図２と同等の部分には、同一符号を付す。同図に示すように、表示装置において、前処理部１１には、テレビチューナーや、ビデオ、ＤＶＤなどから出力されるコンポジット信号Ｓ１が供給されている。コンポジット信号Ｓ１は、輝度信号と色信号とを一緒にして１つの信号にした信号である。前処理部１１は、そのコンポジット信号Ｓ１を、輝度信号、色信号に分離して、信号処理部１２に出力する。
【００４６】
これに対して、第２前処理部１７には、カメラ３０から出力されるコンポジット信号Ｓ２が供給されている。上述したカメラ３０は、車両に取り付けられ車両から見た前方の風景を撮像し、撮像した風景画像に応じたコンポジット信号Ｓ２を出力するものである。第２前処理部１７は、前処理部１１と同様に、コンポジット信号Ｓ２を、輝度信号、色信号に分離して、第２信号処理部１８に出力する。
【００４７】
信号処理部１２は、前処理部１１によって分離された輝度信号、色信号に基づいて、マトリクス状の映像を生成し、合成部１３に供給する。第２信号処理部１８は、第２前処理部１７によって分離された輝度信号、色信号に基づいて、マトリクス状の風景画像を生成し、合成部１３に供給する。合成部１３は、映像に、風景画像を重畳して、表示部１４に供給する。なお、ＯＳＤ回路１５は、コンポジット信号に応じた映像に、表示部１４の設定パネルを重畳して表示するＯＳＤ機能を持った表示装置に通常備えられている回路である。
【００４８】
上記前処理部１１、信号処理部１２、ＣＰＵ１６ａが、請求項中の映像表示制御手段、第１の実施の形態における映像表示制御部３ａに相当する。また、第２前処理部１７、第２信号処理部１８、合成部１３、ＣＰＵ１６ａが、請求項中の画像表示制御手段、第１の実施の形態における画像表示制御部４ａに相当する。また、表示部１４が、実施例１と同様に、請求項中の表示手段、第１の実施の形態における表示部２に相当する。また、カメラ３０が、請求項中の撮像手段、第１の実施の形態における撮像部６に相当する。
【００４９】
風景画像の重畳としては、例えば、図６に示すように、画面の上部エリアＡ１、下部エリアＡ２の何れか一方、又は、上部エリアＡ１、下部エリアＡ２の両方に風景画像を重畳して、表示することが考えられる。この風景画像により、車両の動きに合った視覚的情報を得ることができる。このため、視覚的情報と体で感じる情報との不一致を防止し、乗り物酔いを防ぐことができる。
【００５０】
また、上述した風景画像は、上述したキャラクタ画像と同様に、半透明にして画面全体又は一部に表示っせることも、点滅表示させることも考えられる。さらに、その透明度、点滅間隔をユーザにより調整できるようにすることも考えられる。
【００５１】
なお、実施例２では、コンポジット信号Ｓ１に応じた映像上に風景画像を重畳していた。しかしながら、例えば、表示部１４の上部エリアＡ１又は下部エリアＡ２もしくは上部、下部エリアＡ１、Ａ２の両方を画像表示エリアとし、中央を映像表示エリアとし、映像表示エリアに、コンポジット信号Ｓ１に応じた映像を表示し、画像表示エリアに風景画像を表示することも考えられる。この場合、風景画像によって、コンポジット信号Ｓ１に応じた映像の視認が邪魔されることがなくなる。
【００５２】
また、実施例１における各種センサ２１〜２４をＣＰＵ１６ａに接続し、ユーザが風景画像を自身の速度感覚に合わせるために、操作ボタンなどによって風景画像の大きさを調整できるようにしてもよい。
【００５３】
実施例３
次に、第３実施例について、説明する。図７は、本発明の表示装置の一実施例を示すブロック図である。なお、本実施例３も、車両（＝移動体）に搭載されるものとして説明する。また、図７において、図２と同等の部分には、同一符号を付して、その詳細な説明を省略する。同図に示すように、表示装置において、前処理部１１には、テレビチューナーや、ビデオ、ＤＶＤなどから出力されるコンポジット信号Ｓ１が供給されている。コンポジット信号Ｓ１は、輝度信号と色信号とを一緒にして１つの信号にした信号である。前処理部１１は、そのコンポジット信号Ｓ１を、輝度信号、色信号に分離して、信号処理部１２に出力する。
【００５４】
信号処理部１２は、前処理部１１によって分離された輝度信号、色信号に基づいて、マトリクス状の映像を生成し、表示部１４に供給する。また、信号処理部１２は、μＣＯＭ１６により制御されている。μＣＯＭ１６は、ＣＰＵ１６ａ、ＲＯＭ１６ｂ、ＲＡＭ１６ｃなどを内蔵している。上述したＣＰＵ１６ａには、ステアリングセンサ２１、車速センサ２２、ジャイロセンサ２３、ＧＰＳ２４が接続されている。
【００５５】
上述したＣＰＵ１６ａは、ステアリング角情報、車両速度情報、車両回転情報、位置情報から車両の左右、上下又は前後方向における加速度を演算する。そして、ＣＰＵ１６ａは、信号処理部１２を制御して、例えば、左右方向における加速度を検出したときは、コンポジット信号Ｓ１に対応する映像全体を左右方向に動かし、上下方向における加速度を検出したときは、映像全体を上下方向に動かす。また、前後方向における加速度を検出したときは、映像全体の大きさを変える。なお、変化させる部分は、表示部１４の映像全体に限らず、映像の一部（例えば表示部１４の周縁部分）だけでもよい。
【００５６】
以上のことから明らかなように、表示部１４が、請求項中の表示手段、第２の実施形態における表示部に相当する。また、ＣＰＵ１６ａが、請求項中の検出手段、第２の実施形態における検出部５に相当する。また、信号処理部１２、ＣＰＵ１６ａが、請求項の表示制御手段、第２の実施の形態における表示制御部３ｂに相当する。
【００５７】
第４実施例
また、上述した実施例１では、１つの表示部１４に、映像とキャラクタ画像とを同時に表示させていた。しかしながら、映像を表示する表示装置とは別体に補助表示装置を設け、この補助表示装置に、キャラクタ画像を表示させ、表示装置周辺に配置することが考えられる。この補助表示装置について、図面を参照して以下説明する。図８は、本発明の補助表示装置の一実施例を示すブロック図である。同図に示すように、補助表示装置は、ステアリングセンサ２１、車速センサ２２、ジャイロセンサ２３、ＧＰＳ２４が接続されたμＣＯＭ３１を備えている。
【００５８】
μＣＯＭ３１は、プログラムに従って各種の処理を行うＣＰＵ３１ａ、ＣＰＵ３１ａが行う処理のプログラムなどを格納する読み出し専用のメモリであるＲＯＭ３１ｂ、ＣＰＵ３１ａの処理過程で利用するワークエリア、各種データを格納するデータ格納エリアなどを有する読み出し書き込み自在のメモリであるＲＡＭ３１ｃなどを内蔵する。
【００５９】
μＣＯＭ３１は、信号処理部３２に対して、車両の動きに合わせて変化するキャラクタ画像信号を出力する。信号処理部３２は、μＣＯＭ３１から出力されたキャラクタ画像信号を信号処理して、キャラクタ画像を生成し、表示部３３に表示させる。この表示部３３は、図９に示すように、テレビ、ビデオ、ＤＶＤなどの表示装置の表示部４０上端部に沿って取り付けられる。
【００６０】
以上の構成の補助表示装置３０の動作について、以下説明する。まず、ＣＰＵ３１ａは、例えば、表示装置による映像の表示に応じて、車両の動きに合わせて変化するキャラクタ画像を表示するキャラクタ画像表示処理を行う。キャラクタ画像表示処理において、ＣＰＵ３１ａは、図３について上述した実施例１と同様に、左右方向の加速度を検出して、検出した加速度の方向、大きさに応じたキャラクタの移動方向、移動速度を演算して、表示処理を行う。表示処理においては、ＣＰＵ３１ａは、演算した移動方向、移動速度で移動するキャラクタ画像信号を生成して、信号処理部３２に出力する。信号処理部３２は、ＣＰＵ３１ａから出力されたキャラクタ画像信号を信号処理して、キャラクタ画像を生成して、表示部３３に表示させる。
【００６１】
また、上述したキャラクタ画像の動きは、上述した実施例１と同様に、車両がカーブや、交差点などで左方向に曲がり、左向きに一定値以上の加速度が生じると、図９（ａ）に示すように、キャラクタ画像Ｃが表示部３３に現れ右方向に移動する。キャラクタ画像Ｃは、表示部３３上の右端まで移動するとそのまま消える。
【００６２】
一方、車両がカーブや、交差点などで右に曲がり、右向きに一定値以上の加速度が生じると図９（ｂ）に示すように、キャラクタ画像Ｃが映像上に現れ、左方向に移動する。また、キャラクタ画像Ｃは、表示部３３上の左端まで移動するとそのまま消える。
【００６３】
このキャラクタ画像Ｃにより、表示装置に表示された車両の動きに依存しない映像を見る場合であっても、補助表示装置の表示部３３により車両の動きに合った視覚的情報を得ることができるため、第１実施例と同様に、視覚的情報と体で感じる情報との不一致を防止して、乗り物酔いを防ぐことができる。また、表示装置とは別に補助表示装置を設けることによって、一般的な既存の表示装置に対して後付することができる。
【００６４】
なお、第１実施例と同様に、左右方向の加速度に限らず、上下方向、前後方向の加速度を演算し、演算した加速度に応じてキャラクタ画像を動かすことも考えられる。また、表示部３３も図９に示したものに限らず、例えば、下端に沿って配置させたり、上端、下端の両方に沿って配置させることも考えられる。また、上下方向の加速度に応じたキャラクタ画像を表示する場合には、左端、右端、左右端両端に沿って配置させることも考えられる。さらに、表示部３３の形状も上述した図９の形状に限ったものではない。
【００６５】
また、上述した第４実施例において、表示部３３は、液晶ディスプレイで構成していたが、例えば、左右方向又は上下方向に複数ＬＥＤなどの発光素子を並べたものも考えられる。この場合、例えば、右方向に加速度が生じた場合は、左から順番にＬＥＤの点灯して、点灯位置を変え、左方向に加速度が生じた場合は、右から順番にＬＥＤを点灯して、点灯位置を変えることにより、ユーザが、車の移動に合わせた視覚的情報を得ることができる。
【図面の簡単な説明】
【００６６】
【図１】（ａ）は、第１の実施の形態における表示装置１の主要部の構成を表したブロック図である。（ｂ）は、第２の実施の形態における表示装置８の主要部の構成を表したブロック図である。（ｃ）は、第３の実施の形態における表示装置９の主要部の構成を表したブロック図である。
【図２】実施例１における本発明の表示装置を示すブロック図である。
【図３】図２の表示装置を構成するＣＰＵ１６ａのキャラクタ表示処理における処理手順を示すフローチャートである。
【図４】キャラクタ画像Ｃの動きを説明するための図である。
【図５】実施例２における本発明の表示装置を示すブロック図である。
【図６】風景画像の表示例を示すための図である。
【図７】実施例３における本発明の表示装置を示すブロック図である。
【図８】実施例４における本発明の補助表示装置を示すブロック図である。
【図９】キャラクタ画像Ｃの動きを説明するための図である。
【符号の説明】
【００６７】
２      表示部
３ａ    映像表示制御部（映像表示制御手段）
４ａ    画像表示制御部（画像表示制御手段）
３ｂ    表示制御部（表示制御手段）
４ｂ    表示制御部（表示制御手段）
５      検出部（検出手段）
６      撮像部（撮像手段）
７      設定部（透明度設定手段、点滅設定手段）
【図１】
2005294954.tif 000003
【図２】
2005294954.tif 000004
【図３】
2005294954.tif 000005
【図４】
2005294954.tif 000006
【図５】
2005294954.tif 000007
【図６】
2005294954.tif 000008
【図７】
2005294954.tif 000009
【図８】
2005294954.tif 000010
【図９】
2005294954.tif 000011